(57)【要約】      （修正有）【課題】背中や腰部及び腹部全体に対してマッサージできる効果が得られる結合帯のパッド構造を提供する。【解決手段】本体と駆動部品、偏心軸及びマッサージ部品から構成され、本体の中間にある位置に駆動部品が設置され、本体の両側にある位置に外へ突出して上下対称する制限辺が設けられ、その制限辺に、ボルトを制限辺１２に貫通することにより中空の摺動レバーが設けられ、駆動部品は内部に減速歯車が設置され、また、駆動部品のスピンドルにベアリングが設置され、偏心軸が駆動部品のスピンドルに設置されて、偏心ベアリングにベアリングが設置され、マッサージ部品の中間にある位置に結合孔が設けられ、これにより偏心ベアリングに実装され、また、マッサージ部品の両側に、それぞれマッサージ帯が結合される結合帯が設けられ、その前段に調整結合段があり、上記の構造により結合帯のマッサージパッドが構成される。【選択図】図２
0003142183.tif 000002
【実用新案登録請求の範囲】
【請求項１】
中間のある位置に、駆動部品が設置され、両側のある位置に、それぞれ、外へ突出して上下対称する制限辺が設けられ、また、摺動レバーが設置される本体と、
本体の内部のある位置に設置され、内部に減速歯車が設置される駆動部品と、
駆動部品のスピンドルとマッサージ部品の間に設けられる偏心軸と、
中間のある位置に、結合孔が設けられ、両側にそれぞれマッサージ帯が結合される結合帯が設けられるマッサージ部品が備えられることを特徴とする、マッサージ帯を結合するためのパッド構造。
【請求項２】
該駆動部品は、モータに歯車が結合されることにより構成されることを特徴とする、請求項１に記載のマッサージ帯を結合するためのパッド構造。
【請求項３】
偏心軸により、ベアリングに合わせて、駆動部品とマッサージ部品の両端が連結されることを特徴とする、請求項１に記載のマッサージ帯を結合するためのパッド構造。
【請求項４】
該マッサージ部品に結合されるマッサージ帯は、本体の制限辺と摺動レバーを貫通して支点が形成され、マッサージ部品が往復に回転すると同時に、該マッサージ帯に前後へ動揺して、左右に引っ張られる力が発生することを特徴とする、請求項１に記載のマッサージ帯を結合するためのパッド構造。
【請求項５】
該パッドは、シートバックの靠れパッドに設置されることを特徴とする、請求項１に記載のマッサージ帯を結合するためのパッド構造。
【請求項６】
該パッドは、シートパッドに設置されることを特徴とする、請求項１に記載のマッサージ帯を結合するためのパッド構造。
【請求項７】
該パッドは、ベッドパッドに設置されることを特徴とする、請求項１に記載のマッサージ帯を結合するためのパッド構造。
【請求項８】
該調整結合段は、雌雄係合具であることを特徴とする、請求項１に記載のマッサージ帯を結合するためのパッド構造。
【請求項９】
該調整結合段は、テープファスナであることを特徴とする、請求項１に記載のマッサージ帯を結合するためのパッド構造。
【考案の詳細な説明】
【技術分野】
【０００１】
本考案は、マッサージ帯を結合するためのパッド構造に関し、特に、体のマッサージ部位全体に対して、マッサージできるものに関する。
【背景技術】
【０００２】
従来のマッサージ帯を結合するためのパッドは、図９と図１０のように、パッド５０に運動するマッサージ帯セット６０が設置され、該マッサージ帯セット６０から二つの結合帯６１が伸ばして、パッド５０の一方の表面の二つの位置から伸び出し、二つの結合帯６１がマッサージ帯セット６０に連動され、そのマッサージ帯セット６０は、モータ６２により連動軸６３と二つの偏心輪セット６４が連動され、上記の二つの偏心輪セット６４が両端部に設置され、また、上記の二つの偏心輪セット６４に二つの対称する結合帯６１が設置され、モータが双方向モータで、両方の連動軸６３が連動されて回転し、偏心輪セット６４は、偏心部品６４１により結合部品６４２に合わせて、ベアリング６４３を介して、連動軸６３の両端に実装され、結合帯６１が偏心輪セット６４の結合部品６４２に結合され、その端部に調整結合段６１１が設けられ、上記の構造によりマッサージ効果を有するパッド５０が実現されるが、このようなモータにより偏心輪セット６４が連動されて、マッサージ帯が連動される構造はマッサージの効果が限られて、また、ユーザーの体重によって牽制されて稼動がスムーズにならなく、また、上記の構造は、マッサージ帯をマッサージのパッドとして利用するため、使用する時、その正面や側面或いは裏面だけでマッサージ点を選択し、マッサージ部位全体に対するマッサージ効果が得られず、また、背中をマッサージする時、モータにより偏心軸が連動され左右へ作動し、マッサージ帯セットが緊密にパッドに貼り付くため、完全なマッサージ効果が得られない。
【考案の開示】
【考案が解決しようとする課題】
【０００３】
本考案の目的は、背中をマッサージする同時に、マッサージ帯で腰部と腹部をマッサージでき、背中や腰部及び腹部全体に対してマッサージできる効果が得られる結合帯のパッド構造を提供する。
【課題を解決するための手段】
【０００４】
本考案は、中間のある位置に駆動部品が設置され、両側のある位置に、それぞれ外へ突出して上下対称する制限辺が設けられ、また、摺動レバーが設置される本体と、本体の内部のある位置に設置され、内部に減速歯車が設置される駆動部品と、駆動部品のスピンドルとマッサージ部品の間に設けられる偏心軸と、中間のある位置に、結合孔が設けられ、両側にそれぞれマッサージ帯が結合される結合帯が設けられるマッサージ部品が備えられ、上記の構造により、結合帯のマッサージパッドが構成されるマッサージ帯を結合するためのパッド構造である。
【考案を実施するための最良の形態】
【０００５】
図１と図２を参照しながら、本体１０と駆動部品２０、偏心軸３０及びマッサージ部品４０から構成され、本体１０の中間にある位置に駆動部品２０が設置され、本体の両側にある位置に外へ突出して上下対称する制限辺１２が設けられ、その制限辺１２にボルト１３を制限辺１２に貫通することにより、中空の摺動レバー１４が設けられ、駆動部品２０は内部に減速歯車が設置され、また、駆動部品２０のスピンドル２１にベアリング２２が設置され、偏心軸３０が駆動部品２０のスピンドル２１に設置されて、偏心ベアリング３１にベアリング３２が設置され、マッサージ部品４０の中間にある位置に結合孔４１が設けられ、これにより、偏心ベアリング３１に実装され、また、マッサージ部品４０の両側に、それぞれマッサージ帯４３が結合される結合帯４２が設けられ、その前段に調整結合段４４があり、該調整結合段４４が雌雄係合具やテープファスナであり、上記の構造により結合帯のマッサージパッドが構成される。
【０００６】
本考案によれば、駆動部品２０が本体１０のある位置に実装され、モータで歯車を連動することから構成され、上記の駆動部品２０の内部に減速歯車が実装され、これにより、該駆動部品２０のトルクが増大され、負荷が大きくなってもスムーズに稼動できるための装置であり、該本体１０の両側にある位置に、それぞれ制限辺１２が設置され、該制限辺１２に、ボルト１３を制限辺１２に貫通して固定するように中空の摺動レバー１４が設けられ、該制限辺１２がマッサージ部品４０の両側にあるマッサージ帯４３のために設置され、マッサージ部品４０の中間にベアリング３２が設置されるための結合孔４１が設けられ、それにより、偏心軸３０の偏心ベアリング３１と連結し、その偏心軸３０の他端においてベアリング２２で駆動部品２０のスピンドル２１と結合され、該マッサージ部品４０の両端にある結合帯４２とマッサージ帯４３が本体１０の両側にある制限辺１２を通して、制限辺１２上の摺動レバー１４により該結合帯４２の作動範囲を制限し、これにより前後へ動揺して、左右に引っ張られるマッサージ帯が構成される。
【０００７】
図３乃至図５を参照しながら、そのマッサージ器の作動原理であり、駆動部品２０の内部に減速歯車が設置され、駆動部品２０のスピンドル２１と偏心軸３０の間にベアリング２２が設置され、該偏心軸３０の偏心ベアリング３１とマッサージ部品４０の結合孔４１との間にもベアリング３２が設けられることにより、該駆動部品２０が駆動される時、その前方にある偏心軸３０により、そのマッサージ部品４０が連動され、偏心軸３０により発生した偏心回転により、マッサージ部品４０が左右に動揺するように作動して、ユーザーの背中をマッサージでき、背中をマッサージする時、ユーザーが体をパッドに背凭れて確実にマッサージの効果が得られ、また、マッサージ部品４０が圧迫されることにより、駆動部品２０の稼動がスムーズになるため、駆動部品２０の内部に更に減速歯車が設けられて、該駆動部品２０のトルクを増大して過度に圧迫されることにより、駆動部品２０の稼動がスムーズにならないことや駆動部品２０が壊されることを防止できる。
【０００８】
マッサージ帯４３を利用すると、例えば、図４乃至図８のように、該マッサージ部品４０の両端に、それぞれマッサージ帯４３に結合される結合帯４２が設けられ、該マッサージ帯４３において、本体１０の両側に通してある位置に制限辺１２が設けられ、該制限辺１２に設置された摺動レバー１４に支点が形成され、駆動部品２０を駆動して、そのマッサージ部品４０が稼動される時、その偏心軸３０により偏心回転を行い、また、マッサージ部品４０が往復に回転する同時に、該マッサージ帯４３に前後に動揺させ、左右に引っ張られる力が発生して、快速に前後や左右に動揺や揉みを行い、これによりマッサージ部品４０とマッサージ帯４３により、同時にユーザーに対してマッサージを行う効果が得られる。
【０００９】
該パッドは、シートバックの靠れパッドやシートパッド或いはベッドパッドに設置されても良く、上記の異なる形態であるパッドにより、体の各部位をマッサージでき、背中だけでなく、腰部や腿及び下腿等の部位もマッサージできる。
【００１０】
上記の具体的な実施例の構造によれば、減速歯車が内部に設けられた駆動部品２０により偏心軸３０が連動され、偏心軸３０により形成された偏心回転により、そのマッサージ部品４０が左右に動揺する力を発生し、また、マッサージ部品４０の両端にある結合帯４２にマッサージ帯４３が結合され、マッサージ部品４０に、左右に動揺する力が発生する時、本体１０の制限辺１２上の摺動レバー１４により支点が形成され、マッサージ帯４３に、前後に動揺して左右に引っ張られる力が発生して、快速に前後や左右に動揺そして揉みができるマッサージ効果が得られ、また、マッサージ部品４０とマッサージ帯４３により、同時に背中全体に対してマッサージでき、また、減速歯車が設置されるため、該駆動部品は、マッサージ部品が過度に圧迫されることにより稼動がスムーズにならないことや壊れることを防止できる。
【図面の簡単な説明】
【００１１】
【図１】本考案の斜視組立て図
【図２】本考案の斜視分解図
【図３】本考案の構造透視斜視図
【図４】本考案のマッサージ部品が右へ作動する時の概念図
【図５】本考案のマッサージ部品が左へ作動する時の概念図
【図６】本考案のマッサージ部品によりマッサージ帯が連動される時の概念図
【図７】本考案のマッサージ部品によりマッサージ帯が連動される時の他の概念図
【図８】本考案のマッサージ部品によりマッサージ帯が連動される時の他の概念図
【図９】従来のマッサージ帯の拡大図
【図１０】従来の構造透視斜視図
【符号の説明】
【００１２】
１０      本体
１２      制限辺
１３      ボルト
１４      摺動レバー
２０      駆動部品
２１      スピンドル
２２      ベアリング
３０      偏心軸
３１      偏心ベアリング
３２      ベアリング
４０      マッサージ部品
４１      結合孔
４２      結合帯
４３      マッサージ帯
４４      調整結合段
従来
５０      パッド
５１      固定座
６０      マッサージ帯セット
６１      結合帯
６１１    調整結合段
６２      モータ
６３      連動軸
６４      偏心輪セット
６４１    偏心部品
６４２    結合部品
６４２    ベアリング
【図１】
0003142183.tif 000003
【図２】
0003142183.tif 000004
【図３】
0003142183.tif 000005
【図４】
0003142183.tif 000006
【図５】
0003142183.tif 000007
【図６】
0003142183.tif 000008
【図７】
0003142183.tif 000009
【図８】
0003142183.tif 000010
【図９】
0003142183.tif 000011
【図１０】
0003142183.tif 000012